(57)【要約】【課題】  ＵＳＢ２．０等の高速転送モードと低速転送モードを有するインターフェースを有する画像読取装置のプレビュ処理を向上させる。【解決手段】  ＵＳＢ２．０接続時、ＨｉｇｈｓｐｅｅｄモードとＦｕｌｌｓｐｅｅｄモードを判断して、解像度変換手段を用いて転送モードによりプレビュの解像度を制御する。【選択図】  図３
2005318065.tif 000002
【特許請求の範囲】
【請求項１】
原稿を読みとる為の冷陰極光源と、光源を調光する手段と、光学系を副走査方向に駆動する駆動手段と、原稿を読み取った画像を、電気的な画像信号に変換する複数のイメージセンサと、該画像信号をデシダル信号に変換するＡ／Ｄ変換器と、前記デジタル変換された画像信号を外部装置に転送する手段と、前記デジタル変換された画像データのピーク値を読みとる手段と、解像度を変換する手段と、外部パーソナルコンピュータとの接続を、ＵＳＢ２．０の様な高速転送モードと低速転送モードの両方を持つインターフェースで接続される手段を有する画像読み取り装置において、低速転送モード接続か、高速転送モード接続かを判断してプレビュ時の解像度を変更することを特徴とする画像読み取り装置。
【発明の詳細な説明】
【技術分野】
【０００１】
本発明は、ＵＳＢ２．０等の高速転送モードと低速転送モードを有するインターフェースを有する画像読み取り装置に関するプレビュ読みに対する制御手段に関する。
【背景技術】
【０００２】
従来この種の原稿固定タイプの画像読取装置（以下スキャナと呼ぶ）において、インターフェースは、パソコン側が標準で装備しているＵＳＢ（ユニバーサル、シリアル、バス）を使用することが、利便性を含め非常に有利であるので、ほとんどのスキャナでは、ＵＳＢを標準インターフェースとしている（特許文献１）。
【０００３】
しかし、従来のＵＳＢ１．１では、上限の転送速度が１２Ｍｂｐｓである、Ｆｕｌｌｓｐｅｅｄモードが、転送速度の上限となり、この手の画像読取装置においては、転送速度がネックとなり高速読み取りができず、また画像読み取り時に上記の転送速度の関係で画像読み取り時にスキャナの内蔵の通信ＲＡＭの容量がすぐにＦＵＬＬとなり、読み取りを一時停止して通信ＲＡＭの容量があくまで待たなければならない。そのため、読み取り時に１次停止状態が多発して読み取り時間が長くなってしまう。そのため、この転送速度を改善するため、最近ＵＳＢ２．０という規格が制定された。ＵＳＢ２．０は、転送速度が、４８０Ｍｂｐｓの転送速度が可能なＨｉｇｈｓｐｅｅｄモードが追加され、同じインターフェースでこの、ＨｉｇｈｓｐｅｅｄモードとＦｕｌｌｓｐｅｅｄモードをサポートします。
【０００４】
このため、パソコンが搭載しているＵＳＢがＨｉｇｈｓｐｅｅｄモードをサポートとしている時は、高速読み取りが可能ですが、Ｆｕｌｌｓｐｅｅｄモード時は、低速読み取りとなってしまいます。
【特許文献１】特開２００２−２１８１６７号公報
【発明の開示】
【発明が解決しようとする課題】
【０００５】
上記のように、ＵＳＢ２．０は、ＨｉｇｈｓｐｅｅｄモードとＦｕｌｌｓｐｅｅｄモードをサポートしなければならず、特に高速読み取りを要求されるプレビュ読み取りは、Ｈｉｇｈｓｐｅｅｄモードにあわせて高速プレビュをするようにスキャナを設計すると、もしＦｕｌｌｓｐｅｅｄモードのパソコンに接続された場合、転送速度が遅いため、一時停止が多発して、読み取り速度が低下し、画像が劣化するという問題点がある。
【課題を解決するための手段】
【０００６】
上記目的を達成するため、ＵＳＢ接続時、ＨｉｇｈｓｐｅｅｄモードとＦｕｌｌｓｐｅｅｄ時で、前記解像度変換を用い、プレビュよみとり時の解像度を切り替えるように制御する。
【０００７】
この発明に於ては、ＵＳＢ接続でＨｉｇｈｓｐｅｅｄモードとＦｕｌｌｓｐｅｅｄでモードで最適なプレビュ読み取りを実現できる。
【発明の効果】
【０００８】
以上説明したように、本発明によれば、ＵＳＢ２．０でＦｕｌｌｓｐｅｅｄモードで接続されてもスタート・ストップの発生を回避でき、ＵＳＢ２．０の本来のパフォーマンスである、Ｈｉｇｈｓｐｅｅｄモードの高速転送を有効に利用できるようにプレビュ速度を設定できる。
【発明を実施するための最良の形態】
【０００９】
以下に図面を参照して本発明の実施例を詳細に説明する。
【００１０】
図１は本発明の一実施例の内部構成を示す。
【００１１】
本図において１は光学ユニットボックスで、２はイメードセンサ（以下ＣＣＤと呼ぶ）であり、３は反射光学ミラー、４は光源である冷陰極ランプ、５はレンズ、６は原稿等を原稿台に圧着させる圧板、７は原稿等を乗せる原稿台ガラスから構成されている。１の光学ユニットボックスは、図示しないモータと図示しないベルトにより矢印方向に副走査方向に駆動され、画像読み取りを行う。
【００１２】
８は、制御基板、９は、スタートスイッチ、１０は、スタートスイッチを外部から押す機構を示す。
【００１３】
図２において、２０１はＣＣＤ、２０３は冷陰極ランプ調光回路、２０４はＣＣＤ出力を増幅するＡＭＰ、２０５はアナログ信号をデジタル信号に変換するＡ／Ｄ変換回路、２０６はジェーディング用画像データを貯えるシェーディングＲＡＭ、２０７は、シューディングを行うシューディング補正回路、２０８は主走査白基準の白ピークを検出するピーク検出回路、２０９は、ガンマ変換を行うガンマ変換回路、２１０は、ＣＣＤのオフセットを合わせるオフセットＲＡＭと通信バッファをかねるバッファＲＡＭ、２１１は、バッファＲＡＭ制御および呼びパッキング制御回路、２１２は、インターフェース回路、２１３は、パーソナルコンピュータなどの外部装置、２１４はタイミング信号発生回路、２１５はスキャナを制御するＲＯＭ，ＲＡＭ内蔵のマイクロプロセッサである。
【００１４】
次に、実際の信号の流れを説明する。４の冷陰極ランプにより照射された原稿は反射ミラーとレンズ通過しＣＣＤに原稿像を投影する。投影された画像はＣＣＤによりアナログ信号に変換される。信号は、２０４の増幅器をとおり、２０５のＡ／Ｄ変換回路をとおりデジタル信号に変換される。デジタル信号は、シェーディング回路でシェーディング補正され、２０９のガンマ変換回路に入りガンマ変換される。２０８のピーク検知回路はシェーディングデータを取得時に主走査方向の白基準をピーク検知して、冷陰極ランプの光量値が安定したかどうかをＣＰＵ２１５で確認する。また変動に対して２０３の冷陰極ランプ調光回路でランプの調光を行い補正をかける。このとき、安定した状態のシェーディングデータをシェーディングＲＡＭ２０６の保存して、キャリブレーション無しモードが選択された場合、この保存されたデータを使用して、読み取り開始信号を、外部装置２１３より受けた場合、キャリブレーションをせず、前もって記録してあるシェーディングデータを使用して画像読み取りを行うよう制御する。ガンマ変換されたデータは、２１１のバッファ制御回路で２１０のバッファＲＡＭでオフセット調整され同じ位置に変換され、また２１２のインターフェース回路のバッファＲＡＭとしても動作する。インターフェース回路より外部装置に、画像データが送られる。
【００１５】
２１２のインターフェース回路はＵＳＢ２．０で、外部装置のホストコンピュータの画像データを送信したり、ホストコンピュータの指示を受け付け、２１５のＣＰＵが命令を受信する。
【００１６】
２１５は例えばマイクロコンピュータ形態のＣＰＵであり、処理手順を格納したＲＯＭ２１５Ａ及び作業用のＲＡＭ２１５Ｂを有し、ＲＯＭに格納された手順にしたがって各部の制御を行なう。
【００１７】
ここで、ＨｉｇｈｓｐｅｅｄモードとＦｕｌｌｓｐｅｅｄモードによりプレビュ読み取りの解像度を変更する場合について説明する。たとえば、Ｈｉｇｈｓｐｅｅｄモードでプレビュが主走査、副走査とも７５ｄｐｉ３秒読み取りの場合、Ｈｉｇｈｓｐｅｅｄモードでは、３秒でスタート・ストップせず読み取ることが可能ですが、Ｆｕｌｌｓｐｅｅｄモードのパソコンに接続された場合、スタート・ストップが多発し、読み取り時間および画像の劣化を起こす。そこでこの時、Ｆｕｌｌｓｐｅｅｄモードと判断された場合、主走査解像度７５ｄｐｉ、副走査解像度１５０ｄｐｉとして読み取り速度を６秒として遅くしてスタート・ストップが発生しないように制御する。
【００１８】
図３は、ＦｕｌｌｓｐｅｅｄモードとＨｉｇｈｓｐｅｅｄモードでプレビュの解像度を変更するフローチャートを示す。
【００１９】
Ｓ１は、Ｆｕｌｌｓｐｅｅｄモード接続かまたはＨｉｇｈｓｐｅｅｄモード接続かをパソコン側で判断する。
【００２０】
Ｓ２は、パソコンは、コマンドでスキャナにＨｉｇｈｓｐｅｅｄモードか、Ｆｕｌｌｓｐｅｅｄモード接続かを通知する。
【００２１】
Ｓ３は、パソコンは、プレビュ読み取りの指示を出す。
【００２２】
Ｓ４は、プレビュ読み取りを主走査、副走査とも７５ｄｐｉで読み取る。
【００２３】
Ｓ５は、プレビュ読み取りを主走査７５ｄｐｉ、副走査１５０ｄｐｉで読み取る。
【図面の簡単な説明】
【００２４】
【図１】本発明の機構構成を示す図
【図２】本発明実施例に係る画像読取装置の電気的構成の一例を示すブロック図
【図３】処理動作を具体的に示すフローチャート
【図１】
2005318065.tif 000003
【図２】
2005318065.tif 000004
【図３】
2005318065.tif 000005